(57)【特許請求の範囲】
【請求項１】
スピーカユニットと、
前記スピーカユニットと共にその背面側に内部空間を形成し、前記内部空間と外部空間とを連通させる第１の孔を有するハウジングと、
前記内部空間内に配設されており、一端部側が前記第１の孔に向け連通され他端部側が前記内部空間内で開口された第１の空間を内部に有する環状のチューブ部材と、を備え、
前記チューブ部材は、前記内部空間を第２の空間と第３の空間とに仕切るよう配設され、
前記第１の孔は、前記ハウジングにおける、使用者の使用形態時での頭部後方側に形成されているヘッドホン。
【請求項２】
前記チューブ部材は、形状が直管状である請求項１に記載のヘッドホン。
【請求項３】
前記第２の空間と前記第３の空間とは、異なる音響処理が施されている請求項１又は２に記載のヘッドホン。
【請求項４】
前記チューブ部材の一端部は、前記第１の孔に空気室を介して連通される請求項１乃至３のいずれか１項に記載のヘッドホン。
【請求項５】
スピーカユニットと、
前記スピーカユニットと共にその背面側に内部空間を形成し、前記内部空間と外部空間とを連通させる第１の孔と使用者の使用形態時での頭部前方側に形成され前記内部空間と前記外部空間とを連通させる第２の孔とを有するハウジングと、
前記内部空間内に配設されており、一端部側が前記第１の孔に向け連通され他端部側が前記内部空間内で開口された第１の空間を内部に有する環状のチューブ部材と、
前記第２の孔を通過する空気の流量を減少させる流量減少部と、
を備え、
前記チューブ部材は、前記内部空間を第２の空間と第３の空間とに仕切るよう配設されているヘッドホン。
【発明の詳細な説明】
【技術分野】
【０００１】
本発明は、ヘッドホンに関し、特にハウジング内の音の篭りが少ないヘッドホンに関する。
【背景技術】
【０００２】
従来のヘッドホンには、スピーカユニットの背面側に形成される空間を密閉し、外部への音漏れを防止する構成とされたものがある。特に、スタジオにおいて使用されるヘッドホンでは、ミュージシャンがマイクロホンを前にして録音する際に、外部へ漏れた音がマイクロホンで収音される可能性があるため、音漏れを極力抑える必要がある。
しかし、スピーカユニットの背面側に形成される空間を密閉すると、音が篭り気味になる傾向があった。
【０００３】
ところで、例えば特許文献１には、ヘッドホンのハウジングに、当該ハウジングの内部空間と外部空間との空気流通を可能とする音響特性調整用の孔（以下、音質調整孔という場合がある。）を設ける技術が開示されている。
【先行技術文献】
【特許文献】
【０００４】
【特許文献１】特開平８−３３０８０号公報
【発明の概要】
【発明が解決しようとする課題】
【０００５】
特許文献１のように、ハウジングに音質調整孔を設けると、音が外部に漏れ出してしまう課題を有する。
【０００６】
本発明の目的は、上述した課題を解決するためになされたものであり、音の篭りを防ぎつつも、外部への音漏れが少ないヘッドホンを提供することにある。
【課題を解決するための手段】
【０００７】
本発明に係るヘッドホンは、スピーカユニットと、前記スピーカユニットと共にその背面側に内部空間を形成し、前記内部空間と外部空間とを連通させる第１の孔を有するハウジングと、前記内部空間内に配設されており、一端部側が前記第１の孔に向け連通され他端部側が前記内部空間内で開口された第１の空間を内部に有する環状のチューブ部材と、を備え、前記チューブ部材は、前記内部空間を第２の空間と第３の空間とに仕切るよう配設されている。
前記チューブ部材は、形状が直管状であること、が好ましい。
前記第２の空間と前記第３の空間とは、異なる音響処理が施されていること、が好ましい。
前記第１の孔は、前記ハウジングにおける、使用者の使用形態時での頭部後方側に形成されること、が好ましい。
前記チューブ部材の一端部は、前記第１の孔に空気室を介して連通されること、が好ましい。
前記ハウジングにおける、使用者の使用形態時での頭部前方側に形成され前記内部空間と外部空間とを連通させる第２の孔を有し、前記第２の孔を通過する空気の流量を減少させる流量減少部をさらに備えること、が好ましい。
【発明の効果】
【０００８】
本発明によれば、音の篭りを防ぎつつも、外部への音漏れが少ないヘッドホンを提供することができる。
【図面の簡単な説明】
【０００９】
【図１】本発明の実施の形態に係るヘッドホンを示す斜視図である。
【図２】本発明の実施の形態に係るヘッドホンにおける、音出力部の構造図である。
【図３】（ａ）は、イヤーパッドを省略した音出力部を示す平面図である。（ｂ）は、（ａ）のＡ−Ａ矢視断面図である。
【図４】（ａ）は、イヤーパッドを省略した音出力部を示す背面図である。（ｂ）は、（ａ）のＢ−Ｂ矢視断面図である。
【図５】ハウジングの内部空間内での音質調整機構を示す斜視図である。
【図６】ハウジングの内部空間内での音質調整機構を示す斜視図である。
【発明を実施するための形態】
【００１０】
本発明の実施の形態に係るヘッドホンについて説明する。但し、本発明が以下の実施の形態に限定される訳ではない。また、説明を明確にするため、以下の記載及び図面は、適宜、簡略化されている。なお、本実施の形態では、図１に示すように、使用者の頭部への使用形態時の左右方向をＹ軸方向とし、前後方向をＸ軸方向とし、上下方向をＺ軸方向として説明する。
【００１１】
本実施の形態のヘッドホン１００は、図１に示すように、バンド部２００、バンド部２００の両端部に揺動可能に連結される左右一対（Ｌ及びＲ）の音出力部３００を備える。バンド部２００は、一般的なヘッドホンに用いられるヘッドバンドと同様に、長さ調整機構（図示せず）を備え、使用者が頭部に良好に装着できる構成とされていることが好ましい。バンド部２００の左右両端部はそれぞれ、前後方向に二股に分かれている。つまり、バンド部２００の左右両端部は、二股のハンガー２１０を備える。ハンガー２１０の下端部は、向かい合うように突出するピン２１１を備える。このピン２１１が、音出力部３００の構成要素であるハウジング３２０に形成された挿入孔に挿入される。これにより、音出力部３００は、Ｘ軸回りに揺動可能な構成となる。
また、Ｌ側の音出力部３００からは、信号ケーブル５００が引き出されている。
【００１２】
ＬとＲの音出力部３００は対称構造とされているので、以下、Ｌ側の音出力部を代表として説明する。
音出力部３００は、図２に示すように、スピーカユニット３１０、ハウジング３２０、音質調整機構３３０、ホルダ３４０、バッフル３５０、吸音材３６０、イヤーパッド３７０、筒状部材３８０、被覆部材３９０、カバー部材４００を備える。
【００１３】
スピーカユニット３１０は、信号ケーブル５００からの音声信号に基づいて動作する。
信号ケーブル５００からは、バンド部２００内に通されてＲ側の音出力部３００へ向かう信号ケーブル（図示せず）が分岐しており、これによりＲ側の音出力部３００のスピーカユニット３１０へ音声信号が供給される。
スピーカユニット３１０は、ホルダ３４０によってバッフル３５０に固定される。
【００１４】
ハウジング３２０は、図３（ｂ）及び図４（ｂ）等に示すように、楕円状の底面３２２ｔを有する底部３２２と、底部３２２の周縁から立設した環状の側部３２１と、側部３２２の開口端から径方向外側に延出する鍔部３２２ｔｂと、を備えて形成されている。そして、ハウジング３２０の外面側の外周部は、図３（ａ）及び図４（ａ）等に示すように、バンド部２００のハンガー２１０が最もハウジング３２０側に回動した際に収容される切り欠き部（収容部）３２３を備える。
【００１５】
スピーカユニット３１０は、バッフル３５０に対しホルダ３４０との間に挟持されるように固定される。
ハウジング３２０には、ホルダ３４０によってスピーカユニット３１０が固定されたバッフル３５０がボルト６００によって固定される。
【００１６】
ハウジング３２０における側部３２１の内周面３２１ｔと底面３２２ｔとスピーカユニット３１０の背面とバッフル３５０のハウジング３２０側の面とは、内部空間（バックキャビティ）ＢＣを形成する。ハウジング３２０は、内部空間ＢＣに音質調整機構３３０を備える。ハウジング３２０は、側部３２１の上下方向の略中央位置における後方側に第１の孔３２１０を備える。さらにハウジング３２０は、側部３２１の上下方向の略中央位置における前方側に第２の孔３２２０を備える。
【００１７】
本実施の形態の第１の孔３２１０は、バンド部２００の後側のピン２１１を挿入する挿入孔として用いる。また、本実施の形態の第２の孔３２２０は、バンド部２００の前側のピン２１１を挿入する挿入孔として用いる。
さらにハウジング３２０は、側部３２１における第１の孔３２１０の近傍に貫通孔ＨＬを備える。
【００１８】
ハウジング３２０の下端部には、信号ケーブル５００が挿通されてこれを保護し屈曲耐性を確保するためのブッシング７００が取り付けられている。ちなみに、本実施の形態では、左側の音出力部３００におけるハウジング３２０がブッシング７００を備える。但し、右側の音出力部３００におけるハウジング３２０がブッシング７００を備える構成でも良い。
【００１９】
音質調整機構３３０は、内部空間ＢＣにおける上下方向の略中央位置に、前後方向に向かって配置される。音質調整機構３３０は、チューブ部材３３１０、第１の空気室３３２０、第２の空気室（流量減少部）３３３０を備える。チューブ部材３３１０は、ハウジング３２０との共振を防ぐことができ、且つ当該チューブ部材３３１０自体の共振を防ぐことができるように、合成樹脂材（ＡＢＳ等）で形成されるハウジング３２０とは異なる柔軟な材質から成る。例えばチューブ部材３３１０としては、シリコンラバー製のチューブ部材等を用いることができる。
【００２０】
チューブ部材３３１０は、略湾曲しない形状（即ち、直管状）で配設される。チューブ部材３３１０の一端部は、その長手方向に対して斜めに切断されている。斜めの傾斜角度は例えば４５°である。チューブ部材３３１０の一端部は、内部空間ＢＣ内で開口状態とされる。その一端部における斜めの開口面が、正面側（即ち、バッフル３５０側）に向くように配置される。但し、チューブ部材３３１０の一端部における斜めの開口面は、スピーカユニット３１０の背面側に放出された音が良好に進入するように配置されていれば良い。
【００２１】
チューブ部材３３１０の他端部は、その長手方向に対して略直交方向に切断される。チューブ部材３３１０の他端部は、第１の空気室３３２０を介して第１の孔３２１０及び貫通孔ＨＬに連通される。つまり、チューブ部材３３１０は、ハウジング３２０における後方側の第１の孔３２１０及び貫通孔ＨＬにのみ接続されている。但し、チューブ部材３３１０の他端部は、少なくとも貫通孔ＨＬに連通されていれば良い。その結果、スピーカユニット３１０の背面側に放出された音は、チューブ部材３３１０の一端部から進入し、第１の空気室３３２０を介して後方側の第１の孔３２１０及び貫通孔ＨＬから抜けようとする。このとき、チューブ部材３３１０内では、チューブ部材３３１０の一端部からの進入音が当該チューブ部材３３１０の他端部等で反射して反射音となる。そのため、特定の周波数帯域の音について、反射音が進入音に対して逆位相となって打ち消し合う。すなわち、チューブ部材３３１０の材質、口径、切断角度などを適宜選択調整することで所望の周波数帯域の音量を減衰させることができ、ヘッドホンの篭もり音を篭もりのない音に調整することができる。このとき、チューブ部材３３１０によって篭り音が減衰されるので貫通孔ＨＬの開口面積を小さくしても、音が篭ることなく良好な音質が得られ、外部への音漏れをより小さくすることができる。
【００２２】
このように、スピーカユニット３１０の背面側に放出され、チューブ部材３３１０の一端部から進入した音について、所望の周波数の音は、チューブ部材３３１０内で略減衰され、減衰されなかった音が第１の孔３２１０及び貫通孔ＨＬから外部に漏れる。
【００２３】
従って、本実施の形態のヘッドホン１００は、音の篭りを防ぎつつも、外部への音漏れが少ない構成とすることができる。しかも、本実施の形態のヘッドホン１００は、バンド部２００のピンが挿入される孔に加え、音質調整用の貫通孔ＨＬを後方側のみに設けており、外部に漏れる音のほとんどがハウジング３２０における後方側の貫通孔ＨＬから漏れるので、例えばミュージシャンがスタジオでマイクロホンを前にして録音する際に、このヘッドホンから漏れる音はマイクロホンに収音され難い。
【００２４】
ハウジング３２０などで形成される内部空間ＢＣにおいて、チューブ部材３３１０の厚さは、スピーカユニット３１０と底面３２２ｔとの間隙の大部分を塞ぐような厚さに設定されている。これにより、内部空間ＢＣは、チューブ部材３３１０により仕切られ、複数の空間に分割されていると見なすことができる。
【００２５】
具体的には、図３（ｂ）等に示すように、チューブ部材３３１０内の円柱状の空間である第１の空間Ｓ１、チューブ部材３３１０を挟んで上下に形成される第２及び第３の空間Ｓ２、Ｓ３を備えることになる。
【００２６】
そのため、第２の空間Ｓ２と第３の空間Ｓ３とで異なる音響処理を容易に施すことができる。
例えば、第２の空間Ｓ２と第３の空間Ｓ３とで吸音材３６０の挿入量や材質を変えたり、一方の空間の吸音材を省略したりすることで、音響処理を変えることができる。
【００２７】
また、スピーカユニット３１０の振動体の振動は、内部空間ＢＣへの依存性を有する。具体的に説明すると、内部空間ＢＣの気密性が高いほど、スピーカユニット３１０の振動体（板）を振動させる駆動力が多く必要になる。逆に、内部空間ＢＣの気密性が低いほどスピーカユニット３１０の振動体が振動し易くなるため、入力信号によっては振動体の振動が大きくなり過ぎる場合がある。すなわち、入力信号の波形に振動体の振動が追従できなくなり、良好な再生ができなくなる。
そのため、内部空間ＢＣと外部空間との空気の流通に適切な抵抗を加える音響処理が必要である。
【００２８】
本実施の形態では、上述のように第２の空間Ｓ２と第３の空間Ｓ３とで異なる音響処理を施すことができるので、内部空間が一つとみなされる場合に比べて、音響処理のバリエーションを広げることができる。これにより、本実施の形態のヘッドホン１００は、より良い音質を得ることができる。
【００２９】
また、スピーカユニット３１０の振動体の振動が、当該振動体の各部位で微妙に異なってしまう場合がある。それは、例えば、内部空間ＢＣの奥行き寸法の違いや、内部空間ＢＣを形成する各壁面形状などの違いが、振動板の各部位に対応する背圧に反映されることによる。そのため、第２の空間Ｓ２と第３の空間Ｓ３とで異なる音響処理を施すことができれば、振動体が均一に良好に振動するように、より細かく音響処理を施すことができる。
【００３０】
さらには、チューブ部材３３１０は略湾曲しない形状で配設されている。チューブ部材３３１０は、柔軟性を有しているので湾曲自在であるが自然状態の直線状となる形態で配設されている。そのため、第２の空間Ｓ２及び第３の空間Ｓ３の形状が簡単な形状となり、音響処理の簡易化と迅速化に寄与できる。
【００３１】
このように、本実施の形態のヘッドホン１００は、その設計過程での現物品による音質決定作業において、種々の比較検討を容易にかつ迅速に行うことができる。その結果、より良好な再生音質を選定することができ、開発日程が短縮できる、という効果が得られる。
【００３２】
第１及び第２空気室３３２０、３３３０の詳細を説明する。
第１の空気室３３２０は、第１の孔３２１０及び貫通孔ＨＬを囲むように形成されている。第１の空気室３３２０は、中空の箱型形状である。
【００３３】
具体的に云うと、第１の空気室３３２０は、図５に示すように、側部３２１、底部３２２、側部３２１及び底部３２２に連接し第１の孔３２１０及び貫通孔ＨＬを間にその両側に突出する係止片３３２１、断面略Ｌ字形状のカバー部材３３２２を備え、略箱状に形成されている。
【００３４】
係止片３３２１は、先端部に内方に突出した爪部が形成される。カバー部材３３２２の前方側の面３３２２ａを係止片３３２１の爪部に引っ掛けるように、カバー部材３３２２を係止片３３２１の間に挿入し、各部材間を接着剤などで接合すると、第１の空気室３３２０が形成される。
【００３５】
カバー部材３３２２の前方側の面３３２２ａは、貫通孔３３２２ｂ（図４（ｂ）を参照）を備える。また、カバー部材３３２２の前方側の面３３２２ａは、チューブ部材３３１０の他端部を差し込む差し込み片３３２２ｃを備える。差し込み片３３２２ｃは、チューブ部材３３１０の外径と略等しい内径を有する。差し込み片３３２２ｃは、差し込まれたチューブ部材３３１０の軸線と貫通孔３３２２ｂの中心軸とが略同一軸上に配置されるように形成される。これにより、第１の空気室３３２０は、チューブ部材３３１０の他端部を第１の孔３２１０及び貫通孔ＨＬに連通させるためのアダプタの機能を果たす。第１の空気室３３２０内の容積や形状を調整することで共振周波数を調整することができ、これによりスピーカユニット３１０の背面側に放出された音の音質を調整することができる。例えば、所定の周波数帯域の音を増強又は低減することができる。
【００３６】
第２の空気室３３３０は、第２の孔３２２０を囲むように形成されている。第２の空気室３３３０は、中空の箱型形状である。
【００３７】
具体的に云うと、第２の空気室３３３０は、図６に示すように、ハウジング３２０の側部３２１、ハウジング３２０の底部３２２、側部３２１及び底部３２２に連接し第２の孔３２２０を間にその両側に突出する係止片３３３１、断面略Ｌ字形状のカバー部材３３３２を備える。
【００３８】
係止片３３３１は、先端部に内方に突出した爪部が形成される。カバー部材３３３２の後方側の面３３３２ａを係止片３３３１の爪部に引っ掛けるように、カバー部材３３３２を係止片３３３１の間に挿入し、各部材間を接着剤などで接合すると、第２の空気室３３３０が形成される。
【００３９】
カバー部材３３３２の後方側の面３３３２ａは、貫通孔３３３２ｂを備える。貫通孔３３３２ｂには、それを覆うように、図４（ｂ）等に示す流量調整部材３３３３が設けられる。
【００４０】
流量調整部材３３３３は、ハウジング３２０の内部空間から第２の空気室３３３０を介して第２の孔３２２０から抜ける空気の流量を調整（減少）させる。流量調整部材３３３３としては、例えば紙やヒメロン等を用いることができる。流量調整部材３３３３には、流量調整のための孔が形成されていてもよい。流量調整部材３３３３は、カバー部材３３３２の後方側の面３３３２ａの裏面に設ける。すなわち、貫通孔３３３２ｂの前方側を塞ぐように流量調整部材３３３３を貼り付ける。このように第２の空気室３３３０は、バンド部２００のピン２１１の挿入孔として形成される第２の孔３２２０から抜ける空気の流量を、流量調整部材３３３３によって減少させる流量減少部として機能する。
【００４１】
そのため、音出力部が揺動した際に、例えばバンド部２００のピン２１１と第２の孔３２２０との隙間面積が変化して低音域の音質が変化することがない程度の流量となるように、流量調整部材３３３３の材質や当該流量調整部材３３３３で貫通孔３３３２ｂを覆う面積などを調整することができる。
【００４２】
ホルダ３４０は、図２等に示すように、スピーカユニット３１０の外径より若干小さい内径を有する孔３４１０が形成されたリング部材３４２０を備えて形成されている。リング部材３４２０は、点対称の位置に複数の係合爪３４２１を備える。係合爪３４２１は、バッフル３５０側に突出して形成されている。
【００４３】
バッフル３５０は、ハウジング３２０の開口部（側）を覆うように固定されている。バッフル３５０は、ハウジング３２０にパッキン８００を介してボルト６００によって固定される。バッフル３５０は、複数の貫通孔３５１０を備える。バッフル３５０は、凹み部３５２０を備える。凹み部３５２０は、図３（ｂ）及び図４（ｂ）に示すように、スピーカユニット３１０が収容される第１の凹み部３５２０ａ、ホルダ３４０が収容される第２の凹み部３５２０ｂを備える。
【００４４】
第１の凹み部３５２０ａは、スピーカユニット３１０を収容した際に当該スピーカユニット３１０の外周上縁と第１の凹み部３５２０ａの上縁とが略等しい高さ位置となる深さを有する。また、第１の凹み部３５２０ａは、スピーカユニット３１０を収容した際に当該スピーカユニット３１０の外周側面と第１の凹み部３５２０ａの内周面とが干渉しないように、スピーカユニット３１０の外周より若干大きな内周を有する。第１の凹み部３５２０ａの底部は、スピーカユニット３１０の底部を載置する台座３５３０を備える。
【００４５】
第２の凹み部３５２０ｂは、ホルダ３４０のリング部材３４２０の外周より若干大きい内周を有し、且つリング部材３４２０の厚さと略等しい深さを有する。第２の凹み部３５２０ｂは、ホルダ３４０の係合爪３４２１と対応するように、係合孔３５５０を備える。
【００４６】
これにより、スピーカユニット３１０をバッフル３５０の第１の凹み部３５２０ａに収容して当該スピーカユニット３１０を台座３５３０に載置し、さらにホルダ３４０の係合爪３４２１をバッフル３５０の係合孔３５５０に係合すると、スピーカユニット３１０の外周上部は第１の凹み部３５２０ａの台座３５３０とホルダ３４０のリング部材３４２０とに挟み込まれて固定される。このとき、第２の凹み部３５２０ｂは、ホルダ３４０のリング部材３４２０の厚さと略等しい深さとされているので、バッフル３５０の表面とホルダ３４０のリング部材３４２０の表面とは略面一となる。
【００４７】
吸音材３６０は、図３（ｂ）及び図４（ｂ）に示すように、ハウジング３２０における鍔部３２２ｔｂとバッフル３５０との間、及びハウジング３２０の底部３２２と音質調整機構３３０との間の空間に配置される。これらの吸音材３６０は、上述したような音響処理において、適宜、配置や挿入量等が設定される。
【００４８】
イヤーパッド３７０は、使用者の頭部に略密着してスピーカユニット３１０からの音漏れを防ぐ環状部材３７１０、スピーカユニット３１０等での粉塵の浸入を防ぐ保護膜３７２０を備える。
【００４９】
筒状部材３８０は、スピーカユニット３１０からの音がイヤーパッド３７０の保護膜３７２０に到達する途中で略分散されないように、スピーカユニット３１０とイヤーパッド３７０の保護膜３７２０との間に空間を形成する。筒状部材３８０としては、例えばスポンジ等を用いることができる。
【００５０】
被覆部材３９０は、スピーカユニット３１０の背面側に形成されるハウジング３２０の内部空間からの音漏れを防ぎ、且つ当該内部空間内の圧力を調整するために、バッフル３５０の貫通孔３５１０を被覆する。被覆部材３９０としては、例えば紙等を用いることができる。
【００５１】
カバー部材４００は、ハウジング３２０の側部３２１及び底部３２２を被覆する。カバー部材４００は、ハウジング３２０と干渉しないように、ハウジング３２０の側部３２１及び底部３２２との間に隙間が形成され、且つハウジング３２０とは異なる材質で構成される。カバー部材４００の側部は、バンド部２００のピン２１１をハウジング３２０の挿入孔に良好に挿入できるように、切り欠き部４１０ａを備える。また、カバー部材４００の下部も、ハウジング３２０に設けたブッシング７００と干渉しないように、切り欠き部４１０ｂを備える。
【００５２】
本発明は上記実施の形態に限られたものではなく、趣旨を逸脱しない範囲で適宜変更することが可能である。
上記実施の形態では、チューブ部材３３１０の他端部を第１の空気室３３２０を介して貫通孔ＨＬに連通されているが、この限りでない。つまり、チューブ部材３３１０の他端部を直接に貫通孔ＨＬに連通させても良い。
上記実施の形態では、流量減少部として第２の空気室３３３０を備えているが、バンド部２００のピン２１１と第２の孔３２２０との隙間を比較的均一に形成することができれば、省略しても良い。
上記実施の形態では、チューブ部材３３１０を略湾曲しない形状としたが、湾曲していても良い。
上記実施の形態では、チューブ部材３３１０の他端部をハウジング３２０の後方側に形成された貫通孔ＨＬに連通させているが、ハウジング３２０の前方側に形成された第２の孔３２２０に連通させても良い。すなわち、音出力部３００は、前後が逆の構成でも良い。この場合、第２の孔３２２０から音が漏れ出すことになるが、上述したようにチューブ部材３３１０の一端部から進入した音について、所望の周波数の音は、チューブ部材３３１０内で略減衰され、減衰されなかった音のみが外部に漏れ出す程度であるので、第２の孔３２２０から漏れ出す音は極めて少ない。
【符号の説明】
【００５３】
１００  ヘッドホン
２００  バンド部、２１０  ハンガー、２１１  ピン
３００  音出力部
３１０  スピーカユニット
３２０  ハウジング、３２１  側部、３２２  底部、３２１０  第１の孔、３２２０  第２の孔
３３０  音質調整機構、３３１０  チューブ部材、３３２０  第１の空気室、３３２１  係止片、３３２２  カバー部材、３３２２ａ  カバー部材の前方側の面、３３２２ｂ  貫通孔、３３２２ｃ  差し込み片、３３３０  第２の空気室、３３３１  係止片、３３３２  カバー部材、３３３２ａ  カバー部材の後方側の面、３３３２ｂ  貫通孔、３３３３  流量調整部材
３４０  ホルダ、３４１０  孔、３４２０  リング部材、３４２１  係合爪
３５０  バッフル、３５１０  貫通孔、３５２０  凹み部、３５２０ａ  第１の凹み部、３５２０ｂ  第２の凹み部、３５３０  台座、３５５０  係合孔
３６０  吸音材
３７０  イヤーパッド、３７１０  環状部材、３７２０  保護膜
３８０  筒状部材
３９０  被覆部材
４００  カバー部材、４１０ａ、４１０ｂ  切り欠き部
５００  信号ケーブル
６００  ボルト
７００  ブッシング
Ｓ１、Ｓ２、Ｓ３  空間
ＢＣ  内部空間
ＨＬ  貫通孔
【図１】
0005348102.tif 000002
【図２】
0005348102.tif 000003
【図３】
0005348102.tif 000004
【図４】
0005348102.tif 000005
【図５】
0005348102.tif 000006
【図６】
0005348102.tif 000007